(57)【要約】【課題】光学性能に優れるのは勿論のこと、レンズ全長が短く小型で軽量なズームレンズ系、交換レンズ装置及びカメラシステムを提供する。【解決手段】物体側から像側へと順に、正のパワーを有する第１レンズ群と、負のパワーを有する第２レンズ群と、正のパワーを有する第３レンズ群とを有し、像のぶれを光学的に補正するため光軸に対して垂直方向に移動する、前記第３レンズ群の一部であり、該第３レンズ群の最物体側に位置する像ぶれ補正レンズ群を備え、条件：０．５＜ＬＴ／ｆＴ＜１．２（ＬＴ：望遠端におけるレンズ全長、ｆＴ：望遠端における全系の焦点距離）を満足するズームレンズ系、交換レンズ装置及びカメラシステム。【選択図】図１
2013101316.tif 000002
【特許請求の範囲】
【請求項１】
少なくとも１枚のレンズ素子で構成されたレンズ群を複数有するズームレンズ系であって、
物体側から像側へと順に、正のパワーを有する第１レンズ群と、負のパワーを有する第２レンズ群と、正のパワーを有する第３レンズ群とを有し、
像のぶれを光学的に補正するため光軸に対して垂直方向に移動する、前記第３レンズ群の一部であり、該第３レンズ群の最物体側に位置する像ぶれ補正レンズ群を備え、
以下の条件（１）を満足する、ズームレンズ系：
０．５＜ＬＴ／ｆＴ＜１．２  ・・・（１）
ここで、
ＬＴ：望遠端におけるレンズ全長（望遠端における、第１レンズ群の最物体側面から像面までの距離）、
ｆＴ：望遠端における全系の焦点距離
である。
【請求項２】
以下の条件（２）を満足する、請求項１に記載のズームレンズ系：
０．３＜Ｔ３ｓｕｂＧ／Ｔ１Ｇ＜１．５  ・・・（２）
ここで、
Ｔ３ｓｕｂＧ：像ぶれ補正レンズ群の光軸上での厚み、
Ｔ１Ｇ：第１レンズ群の光軸上での厚み
である。
【請求項３】
以下の条件（３）を満足する、請求項１に記載のズームレンズ系：
０．０５＜Ｔ１Ｇ／ｆＷ＜０．３  ・・・（３）
ここで、
Ｔ１Ｇ：第１レンズ群の光軸上での厚み、
ｆＷ：広角端における全系の焦点距離
である。
【請求項４】
第３レンズ群の像側に第４レンズ群をさらに備え、以下の条件（４）を満足する、請求項１に記載のズームレンズ系：
０．０３＜Ｔ４Ｇ／Ｔ３Ｇ＜０．９  ・・・（４）
ここで、
Ｔ３Ｇ：第３レンズ群の光軸上での厚み、
Ｔ４Ｇ：第４レンズ群の光軸上での厚み
である。
【請求項５】
以下の条件（５）を満足する、請求項１に記載のズームレンズ系：
−２．０＜ｆ３Ｇ／ｆ２Ｇ＜−１．０  ・・・（５）
ここで、
ｆ２Ｇ：第２レンズ群の焦点距離、
ｆ３Ｇ：第３レンズ群の焦点距離
である。
【請求項６】
像ぶれ補正レンズ群が、１枚のレンズ素子で構成される、請求項１に記載のズームレンズ系。
【請求項７】
第１レンズ群が、２枚以下のレンズ素子で構成される、請求項１に記載のズームレンズ系。
【請求項８】
撮像時の広角端から望遠端へのズーミングの際に、少なくとも１つのレンズ群が像面に対して固定されている、請求項１に記載のズームレンズ系。
【請求項９】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１０】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【請求項１１】
少なくとも１枚のレンズ素子で構成されたレンズ群を複数有するズームレンズ系であって、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とからなり、
撮像時の広角端から望遠端へのズーミングの際に、前記第１レンズ群と前記第５レンズ群とがそれぞれ像面に対して移動し、
無限遠合焦状態から近接物体合焦状態へのフォーカシングの際に、前記第４レンズ群が像面に対して移動し、
以下の条件（４）を満足する、ズームレンズ系：
０．０３＜Ｔ４Ｇ／Ｔ３Ｇ＜０．９  ・・・（４）
ここで、
Ｔ３Ｇ：第３レンズ群の光軸上での厚み、
Ｔ４Ｇ：第４レンズ群の光軸上での厚み
である。
【請求項１２】
像のぶれを光学的に補正するため光軸に対して垂直方向に移動する、第３レンズ群の一部であり、該第３レンズ群の最物体側に位置する像ぶれ補正レンズ群を備え、
以下の条件（２）を満足する、請求項１１に記載のズームレンズ系：
０．３＜Ｔ３ｓｕｂＧ／Ｔ１Ｇ＜１．５  ・・・（２）
ここで、
Ｔ３ｓｕｂＧ：像ぶれ補正レンズ群の光軸上での厚み、
Ｔ１Ｇ：第１レンズ群の光軸上での厚み
である。
【請求項１３】
以下の条件（３）を満足する、請求項１１に記載のズームレンズ系：
０．０５＜Ｔ１Ｇ／ｆＷ＜０．３  ・・・（３）
ここで、
Ｔ１Ｇ：第１レンズ群の光軸上での厚み、
ｆＷ：広角端における全系の焦点距離
である。
【請求項１４】
以下の条件（５）を満足する、請求項１１に記載のズームレンズ系：
−２．０＜ｆ３Ｇ／ｆ２Ｇ＜−１．０  ・・・（５）
ここで、
ｆ２Ｇ：第２レンズ群の焦点距離、
ｆ３Ｇ：第３レンズ群の焦点距離
である。
【請求項１５】
第４レンズ群が、１枚のレンズ素子で構成される、請求項１１に記載のズームレンズ系。
【請求項１６】
第１レンズ群が、２枚以下のレンズ素子で構成される、請求項１１に記載のズームレンズ系。
【請求項１７】
撮像時の広角端から望遠端へのズーミングの際に、少なくとも１つのレンズ群が像面に対して固定されている、請求項１１に記載のズームレンズ系。
【請求項１８】
請求項１１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項１９】
請求項１１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本開示は、ズームレンズ系、交換レンズ装置及びカメラシステムに関する。
【背景技術】
【０００２】
レンズ交換式デジタルカメラシステム（以下、単に「カメラシステム」ともいう）は、高感度で高画質な画像を撮影することができ、フォーカシングや撮影後の画像処理が高速で、撮りたい場面に合わせて手軽に交換レンズ装置を取り替えることができる等の利点があり、近年急速に普及している。また光学像を変倍可能に形成するズームレンズ系を備えた交換レンズ装置は、レンズ交換をすることなく焦点距離を自在に変化させることができる点で人気がある。
【０００３】
交換レンズ装置に用いるズームレンズ系としては、従来より、広角端から望遠端まで高い光学性能を有するものが求められており、例えば正リードで多群構成のズームレンズ系が種々提案されている。
【０００４】
特許文献１は、４群構成で、第２レンズ群と第３レンズ群との間に絞りが配置され、第１レンズ群及び第４レンズ群でフォーカシングを行い、第３レンズ群で像のぶれを光学的に補正するズームレンズを開示している。
【０００５】
特許文献２は、正負正負正の５群構成で、ズーミング時に隣接する各レンズ群の間隔が全て変化し、第３レンズ群が、負レンズと正レンズとの貼り合わせレンズを含み、該貼り合わせレンズで像のぶれを光学的に補正するズームレンズを開示している。
【０００６】
特許文献３は、正負正正の４群構成で、第３レンズ群が、第３ａ負レンズ群及び第３ｂ正レンズ群を含み、第３ａ負レンズ群で像のぶれを光学的に補正するズームレンズを開示している。
【０００７】
特許文献４は、正負正正の４群構成で、ズーミング時に第２レンズ群及び第４レンズ群が移動し、第１レンズ群が、１枚以上の負レンズ、プリズム及び１枚以上の正レンズを含み、第３レンズ群の少なくとも一部で像のぶれを光学的に補正するズームレンズを開示している。
【０００８】
特許文献５は、正負正正の４群構成で、ズーミング時に第２レンズ群及び第４レンズ群が移動し、第３レンズ群が、少なくとも片面が非球面である像ぶれ補正用の正レンズ及び接合レンズを含むズームレンズを開示している。
【先行技術文献】
【特許文献】
【０００９】
【特許文献１】特開２００２−１０７６２３号公報
【特許文献２】特開２００４−２１２６１１号公報
【特許文献３】特開２００６−０３０３４０号公報
【特許文献４】特開２００６−１９５０６８号公報
【特許文献５】特開２００６−２６７６７６号公報
【発明の概要】
【発明が解決しようとする課題】
【００１０】
本開示は、光学性能に優れるのは勿論のこと、レンズ全長が短く小型で軽量なズームレンズ系を提供する。また本開示は、該ズームレンズ系を含む交換レンズ装置及びカメラシステムを提供する。
【課題を解決するための手段】
【００１１】
（Ｉ）本開示におけるズームレンズ系は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群とを有し、
像のぶれを光学的に補正するため光軸に対して垂直方向に移動する、前記第３レンズ群の一部であり、該第３レンズ群の最物体側に位置する像ぶれ補正レンズ群を備え、
以下の条件（１）：
０．５＜ＬＴ／ｆＴ＜１．２  ・・・（１）
（ここで、
ＬＴ：望遠端におけるレンズ全長（望遠端における、第１レンズ群の最物体側面から像面までの距離）、
ｆＴ：望遠端における全系の焦点距離
である）
を満足する
ことを特徴とする。
【００１２】
本開示における交換レンズ装置は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群とを有し、
像のぶれを光学的に補正するため光軸に対して垂直方向に移動する、前記第３レンズ群の一部であり、該第３レンズ群の最物体側に位置する像ぶれ補正レンズ群を備え、
以下の条件（１）：
０．５＜ＬＴ／ｆＴ＜１．２  ・・・（１）
（ここで、
ＬＴ：望遠端におけるレンズ全長（望遠端における、第１レンズ群の最物体側面から像面までの距離）、
ｆＴ：望遠端における全系の焦点距離
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１３】
本開示におけるカメラシステムは、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群とを有し、
像のぶれを光学的に補正するため光軸に対して垂直方向に移動する、前記第３レンズ群の一部であり、該第３レンズ群の最物体側に位置する像ぶれ補正レンズ群を備え、
以下の条件（１）：
０．５＜ＬＴ／ｆＴ＜１．２  ・・・（１）
（ここで、
ＬＴ：望遠端におけるレンズ全長（望遠端における、第１レンズ群の最物体側面から像面までの距離）、
ｆＴ：望遠端における全系の焦点距離
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【００１４】
（II）本開示におけるズームレンズ系は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とからなり、
撮像時の広角端から望遠端へのズーミングの際に、前記第１レンズ群と前記第５レンズ群とがそれぞれ像面に対して移動し、
無限遠合焦状態から近接物体合焦状態へのフォーカシングの際に、前記第４レンズ群が像面に対して移動し、
以下の条件（４）：
０．０３＜Ｔ４Ｇ／Ｔ３Ｇ＜０．９  ・・・（４）
（ここで、
Ｔ３Ｇ：第３レンズ群の光軸上での厚み、
Ｔ４Ｇ：第４レンズ群の光軸上での厚み
である）
を満足する
ことを特徴とする。
【００１５】
本開示における交換レンズ装置は、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とからなり、
撮像時の広角端から望遠端へのズーミングの際に、前記第１レンズ群と前記第５レンズ群とがそれぞれ像面に対して移動し、
無限遠合焦状態から近接物体合焦状態へのフォーカシングの際に、前記第４レンズ群が像面に対して移動し、
以下の条件（４）：
０．０３＜Ｔ４Ｇ／Ｔ３Ｇ＜０．９  ・・・（４）
（ここで、
Ｔ３Ｇ：第３レンズ群の光軸上での厚み、
Ｔ４Ｇ：第４レンズ群の光軸上での厚み
である）
を満足するズームレンズ系と、
前記ズームレンズ系が形成する光学像を受光して電気的な画像信号に変換する撮像素子を含むカメラ本体との接続が可能なレンズマウント部と
を備える
ことを特徴とする。
【００１６】
本開示におけるカメラシステムは、
少なくとも１枚のレンズ素子で構成されたレンズ群を複数有し、
物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とからなり、
撮像時の広角端から望遠端へのズーミングの際に、前記第１レンズ群と前記第５レンズ群とがそれぞれ像面に対して移動し、
無限遠合焦状態から近接物体合焦状態へのフォーカシングの際に、前記第４レンズ群が像面に対して移動し、
以下の条件（４）：
０．０３＜Ｔ４Ｇ／Ｔ３Ｇ＜０．９  ・・・（４）
（ここで、
Ｔ３Ｇ：第３レンズ群の光軸上での厚み、
Ｔ４Ｇ：第４レンズ群の光軸上での厚み
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える
ことを特徴とする。
【発明の効果】
【００１７】
本開示におけるズームレンズ系は、光学性能に優れるのは勿論のこと、レンズ全長が短く小型で軽量である。
【図面の簡単な説明】
【００１８】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６に係るレンズ交換式デジタルカメラシステムの概略構成図
【発明を実施するための形態】
【００１９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２０】
なお、発明者らは、当業者が本開示を充分に理解するために添付図面および以下の説明を提供するのであって、これらによって請求の範囲に記載の主題を限定することを意図するものではない。
【００２１】
（実施の形態１〜５）
図１、４、７、１０及び１３は、各々実施の形態１〜５に係るズームレンズ系のレンズ配置図である。
【００２２】
図１、４、７、１０及び１３はいずれも、無限遠合焦状態にあるズームレンズ系を表している。各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、図１、４、７及び１３では、後述する第４レンズ群Ｇ４が無限遠合焦状態から近接物体合焦状態へのフォーカシングの際に移動する方向を示している。図１０では、後述する第５レンズ群Ｇ５が無限遠合焦状態から近接物体合焦状態へのフォーカシングの際に移動する方向を示している。
【００２３】
実施の形態１〜３及び５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５とを備える。実施の形態４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６とを備える。
【００２４】
図１、４、７、１０及び１３において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。さらに各図に示すように、第２レンズ群Ｇ２と第３レンズ群Ｇ３との間には、開口絞りＡが設けられている。
【００２５】
（実施の形態１）
図１に示すように、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されている。
【００２６】
第２レンズ群Ｇ２は、物体側から像側へと順に、物体側に凸面を向けた負メニスカス形状の第３レンズ素子Ｌ３と、両凸形状の第４レンズ素子Ｌ４と、両凹形状の第５レンズ素子Ｌ５とからなる。
【００２７】
第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その像側面が非球面である。
【００２８】
第４レンズ群Ｇ４は、両凸形状の第９レンズ素子Ｌ９のみからなる。
【００２９】
第５レンズ群Ｇ５は、像側に凸面を向けた負メニスカス形状の第１０レンズ素子Ｌ１０のみからなる。
【００３０】
撮像時の広角端から望遠端へのズーミングの際に、第１レンズ群Ｇ１は物体側へ移動し、第２レンズ群Ｇ２は像側へ移動し、第３レンズ群Ｇ３は移動せず、第４レンズ群Ｇ４は像側へ移動し、第５レンズ群Ｇ５は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が減少するように、第１レンズ群Ｇ１、第２レンズ群Ｇ２、第４レンズ群Ｇ４及び第５レンズ群Ｇ５が光軸に沿ってそれぞれ移動する。なお、開口絞りＡは第３レンズ群Ｇ３と同様に移動しない。
【００３１】
無限遠合焦状態から近接物体合焦状態へのフォーカシングの際に、第４レンズ群Ｇ４が光軸に沿って物体側へと移動する。
【００３２】
また、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００３３】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されている。
【００３４】
第２レンズ群Ｇ２は、物体側から像側へと順に、物体側に凸面を向けた負メニスカス形状の第３レンズ素子Ｌ３と、両凸形状の第４レンズ素子Ｌ４と、両凹形状の第５レンズ素子Ｌ５とからなる。
【００３５】
第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その像側面が非球面である。
【００３６】
第４レンズ群Ｇ４は、両凸形状の第９レンズ素子Ｌ９のみからなる。
【００３７】
第５レンズ群Ｇ５は、両凹形状の第１０レンズ素子Ｌ１０のみからなる。
【００３８】
撮像時の広角端から望遠端へのズーミングの際に、第１レンズ群Ｇ１は物体側へ移動し、第２レンズ群Ｇ２は移動せず、第３レンズ群Ｇ３は物体側へ移動し、第４レンズ群Ｇ４は物体側へ移動し、第５レンズ群Ｇ５は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少するように、第１レンズ群Ｇ１、第３レンズ群Ｇ３、第４レンズ群Ｇ４及び第５レンズ群Ｇ５が光軸に沿ってそれぞれ移動する。なお、開口絞りＡは第３レンズ群Ｇ３と一体的に光軸に沿って物体側へ移動する。
【００３９】
無限遠合焦状態から近接物体合焦状態へのフォーカシングの際に、第４レンズ群Ｇ４が光軸に沿って物体側へと移動する。
【００４０】
また、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００４１】
（実施の形態３）
図７に示すように、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されている。
【００４２】
第２レンズ群Ｇ２は、物体側から像側へと順に、物体側に凸面を向けた負メニスカス形状の第３レンズ素子Ｌ３と、両凸形状の第４レンズ素子Ｌ４と、両凹形状の第５レンズ素子Ｌ５とからなる。
【００４３】
第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その像側面が非球面である。
【００４４】
第４レンズ群Ｇ４は、両凸形状の第９レンズ素子Ｌ９のみからなる。
【００４５】
第５レンズ群Ｇ５は、両凹形状の第１０レンズ素子Ｌ１０のみからなる。
【００４６】
撮像時の広角端から望遠端へのズーミングの際に、第１レンズ群Ｇ１は物体側へ移動し、第２レンズ群Ｇ２は移動せず、第３レンズ群Ｇ３は物体側へ移動し、第４レンズ群Ｇ４は物体側へ移動し、第５レンズ群Ｇ５は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少するように、第１レンズ群Ｇ１、第３レンズ群Ｇ３、第４レンズ群Ｇ４及び第５レンズ群Ｇ５が光軸に沿ってそれぞれ移動する。なお、開口絞りＡは第３レンズ群Ｇ３と一体的に光軸に沿って物体側へ移動する。
【００４７】
無限遠合焦状態から近接物体合焦状態へのフォーカシングの際に、第４レンズ群Ｇ４が光軸に沿って物体側へと移動する。
【００４８】
また、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００４９】
（実施の形態４）
図１０に示すように、第１レンズ群Ｇ１は、物体側から像側へと順に、両凸形状の第１レンズ素子Ｌ１と、像側に凸面を向けた負メニスカス形状の第２レンズ素子Ｌ２とからなる。これら第１レンズ素子Ｌ１と第２レンズ素子Ｌ２とは接合されている。
【００５０】
第２レンズ群Ｇ２は、物体側から像側へと順に、両凹形状の第３レンズ素子Ｌ３と、両凸形状の第４レンズ素子Ｌ４と、両凹形状の第５レンズ素子Ｌ５とからなる。
【００５１】
第３レンズ群Ｇ３は、物体側から像側へと順に、両凸形状の第６レンズ素子Ｌ６と、両凸形状の第７レンズ素子Ｌ７と、両凹形状の第８レンズ素子Ｌ８とからなる。これらのうち、第７レンズ素子Ｌ７と第８レンズ素子Ｌ８とは接合されている。また、第６レンズ素子Ｌ６は、その像側面が非球面である。
【００５２】
第４レンズ群Ｇ４は、物体側に凸面を向けた負メニスカス形状の第９レンズ素子Ｌ９のみからなる。
【００５３】
第５レンズ群Ｇ５は、両凸形状の第１０レンズ素子Ｌ１０のみからなる。
【００５４】
第６レンズ群Ｇ６は、両凹形状の第１１レンズ素子Ｌ１１のみからなる。
【００５５】
撮像時の広角端から望遠端へのズーミングの際に、第１レンズ群Ｇ１は物体側へ移動し、第２レンズ群Ｇ２は移動せず、第３レンズ群Ｇ３は物体側へ移動し、第４レンズ群Ｇ４は物体側へ移動し、第５レンズ群Ｇ５は物体側へ移動し、第６レンズ群Ｇ６は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少するように、第１レンズ群Ｇ１、第３レンズ群Ｇ３、第４レンズ群Ｇ４、第５レンズ群Ｇ５及び第６レンズ群Ｇ６が光軸に沿ってそれぞれ移動する。なお、開口絞りＡは第３レンズ群Ｇ３と一体的に光軸に沿って物体側へ移動する。
【００５６】
無限遠合焦状態から近接物体合焦状態へのフォーカシングの際に、第５レンズ群Ｇ５が光軸に沿って物体側へと移動する。
【００５７】
また、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００５８】
（実施の形態５）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２とからなる。これら第１レンズ素子Ｌ１と第２レンズ素子Ｌ２とは接合されている。
【００５９】
第２レンズ群Ｇ２は、物体側から像側へと順に、物体側に凸面を向けた負メニスカス形状の第３レンズ素子Ｌ３と、物体側に凸面を向けた正メニスカス形状の第４レンズ素子Ｌ４と、両凹形状の第５レンズ素子Ｌ５とからなる。
【００６０】
第３レンズ群Ｇ３は、物体側から像側へと順に、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８とからなる。これらのうち、第７レンズ素子Ｌ７と第８レンズ素子Ｌ８とは接合されている。また、第６レンズ素子Ｌ６は、その像側面が非球面である。
【００６１】
第４レンズ群Ｇ４は、両凸形状の第９レンズ素子Ｌ９のみからなる。
【００６２】
第５レンズ群Ｇ５は、両凹形状の第１０レンズ素子Ｌ１０のみからなる。
【００６３】
撮像時の広角端から望遠端へのズーミングの際に、第１レンズ群Ｇ１は物体側へ移動し、第２レンズ群Ｇ２は移動せず、第３レンズ群Ｇ３は物体側へ移動し、第４レンズ群Ｇ４は物体側へ移動し、第５レンズ群Ｇ５は物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少するように、第１レンズ群Ｇ１、第３レンズ群Ｇ３、第４レンズ群Ｇ４及び第５レンズ群Ｇ５が光軸に沿ってそれぞれ移動する。なお、開口絞りＡは第３レンズ群Ｇ３と一体的に光軸に沿って物体側へ移動する。
【００６４】
無限遠合焦状態から近接物体合焦状態へのフォーカシングの際に、第４レンズ群Ｇ４が光軸に沿って物体側へと移動する。
【００６５】
また、第６レンズ素子Ｌ６が後述する像ぶれ補正レンズ群に相当し、該第６レンズ素子Ｌ６を光軸に直交する方向に移動させることによって、全系の振動による像点移動を補正する、すなわち、手ぶれ、振動等による像のぶれを光学的に補正することができる。
【００６６】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００６７】
以下、例えば実施の形態１〜５に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００６８】
例えば実施の形態１〜５に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群とを有し、像のぶれを光学的に補正するため光軸に対して垂直方向に移動する、前記第３レンズ群の一部であり、該第３レンズ群の最物体側に位置する像ぶれ補正レンズ群を備える（以下、このレンズ構成を、実施の形態の基本構成Ｉという）ズームレンズ系は、以下の条件（１）を満足する。また、例えば実施の形態１〜３及び５に係るズームレンズ系のように、少なくとも１枚のレンズ素子で構成されたレンズ群を複数有し、物体側から像側へと順に、正のパワーを有する第１レンズ群と、負のパワーを有する第２レンズ群と、正のパワーを有する第３レンズ群と、正のパワーを有する第４レンズ群と、負のパワーを有する第５レンズ群とからなり、撮像時の広角端から望遠端へのズーミングの際に、前記第１レンズ群と前記第５レンズ群とがそれぞれ像面に対して移動し、無限遠合焦状態から近接物体合焦状態へのフォーカシングの際に、前記第４レンズ群が像面に対して移動する（以下、このレンズ構成を、実施の形態の基本構成IIという）ズームレンズ系は、以下の条件（１）を満足することができる。
０．５＜ＬＴ／ｆＴ＜１．２  ・・・（１）
ここで、
ＬＴ：望遠端におけるレンズ全長（望遠端における、第１レンズ群の最物体側面から像面までの距離）、
ｆＴ：望遠端における全系の焦点距離
である。
【００６９】
前記条件（１）は、望遠端におけるレンズ全長と、望遠端における全系の焦点距離との関係を規定する条件である。条件（１）の下限を下回ると、各レンズ群の焦点距離が短くなりすぎ、特に望遠端における像面湾曲の補正が困難になる。逆に条件（１）の上限を上回ると、望遠端におけるレンズ全長が長くなりすぎ、コンパクトなレンズ鏡筒や交換レンズ装置及びカメラシステムを提供することが困難になる。
【００７０】
なお、さらに以下の条件（１）’及び（１）’’の少なくとも１つを満足することにより、前記効果をさらに奏功させることができる。
０．８＜ＬＴ／ｆＴ  ・・・（１）’
ＬＴ／ｆＴ＜１．１５  ・・・（１）’’
【００７１】
例えば実施の形態１〜３及び５に係るズームレンズ系のように、基本構成IIを有するズームレンズ系は、以下の条件（４）を満足する。また、例えば実施の形態１〜５に係るズームレンズ系のように、基本構成Ｉを有し、第３レンズ群の像側に第４レンズ群をさらに備えるズームレンズ系は、以下の条件（４）を満足することが有益である。
０．０３＜Ｔ４Ｇ／Ｔ３Ｇ＜０．９  ・・・（４）
ここで、
Ｔ３Ｇ：第３レンズ群の光軸上での厚み、
Ｔ４Ｇ：第４レンズ群の光軸上での厚み
である。
【００７２】
前記条件（４）は、第３レンズ群の光軸上での厚みと、第４レンズ群の光軸上での厚みとの関係を規定する条件である。条件（４）の下限を下回ると、第４レンズ群の光軸上での厚みが小さくなりすぎ、フォーカシングに伴う像面湾曲の変動の補正が困難になる。逆に条件（４）の上限を上回ると、第３レンズ群の光軸上での厚みが小さくなりすぎ、ズーミングに伴う球面収差の変動の補正が困難になる。
【００７３】
なお、さらに以下の条件（４）’及び（４）’’の少なくとも１つを満足することにより、前記効果をさらに奏功させることができる。
０．０５＜Ｔ４Ｇ／Ｔ３Ｇ  ・・・（４）’
Ｔ４Ｇ／Ｔ３Ｇ＜０．５  ・・・（４）’’
【００７４】
例えば実施の形態１〜５に係るズームレンズ系のように、基本構成Ｉを有するズームレンズ系は、以下の条件（２）を満足することが有益である。また、例えば実施の形態１〜３及び５に係るズームレンズ系のように、基本構成IIを有し、像のぶれを光学的に補正するため光軸に対して垂直方向に移動する、第３レンズ群の一部であり、該第３レンズ群の最物体側に位置する像ぶれ補正レンズ群を備えるズームレンズ系は、以下の条件（２）を満足することが有益である。
０．３＜Ｔ３ｓｕｂＧ／Ｔ１Ｇ＜１．５  ・・・（２）
ここで、
Ｔ３ｓｕｂＧ：像ぶれ補正レンズ群の光軸上での厚み、
Ｔ１Ｇ：第１レンズ群の光軸上での厚み
である。
【００７５】
前記条件（２）は、第３レンズ群の一部であり、該第３レンズ群の最物体側に位置する像ぶれ補正レンズ群の光軸上での厚みと、第１レンズ群の光軸上での厚みとの関係を規定する条件である。条件（２）の下限を下回ると、第１レンズ群の光軸上での厚みが大きくなりすぎ、特に望遠端における非点収差の補正が困難になる。逆に条件（２）の上限を上回ると、像ぶれ補正レンズ群の光軸上での厚みが大きくなりすぎ、像ぶれ補正レンズ群の駆動機構の構成が肥大化し、コンパクトなレンズ鏡筒や交換レンズ装置及びカメラシステムを提供することが困難になる。さらに、像ぶれ補正時の偏心非点収差の補正が困難になる。
【００７６】
なお、さらに以下の条件（２）’及び（２）’’の少なくとも１つを満足することにより、前記効果をさらに奏功させることができる。
０．４５＜Ｔ３ｓｕｂＧ／Ｔ１Ｇ  ・・・（２）’
Ｔ３ｓｕｂＧ／Ｔ１Ｇ＜０．９  ・・・（２）’’
【００７７】
例えば実施の形態１〜５に係るズームレンズ系のように、基本構成Ｉを有するズームレンズ系は、以下の条件（３）を満足することが有益である。また、例えば実施の形態１〜３及び５に係るズームレンズ系のように、基本構成IIを有するズームレンズ系は、以下の条件（３）を満足することが有益である。
０．０５＜Ｔ１Ｇ／ｆＷ＜０．３  ・・・（３）
ここで、
Ｔ１Ｇ：第１レンズ群の光軸上での厚み、
ｆＷ：広角端における全系の焦点距離
である。
【００７８】
前記条件（３）は、第１レンズ群の光軸上での厚みと、広角端における全系の焦点距離との関係を規定する条件である。条件（３）の下限を下回ると、広角端における全系の焦点距離に対して第１レンズ群の光軸上での厚みが小さくなりすぎ、特に広角端における非点収差の補正が困難になる。逆に条件（３）の上限を上回ると、第１レンズ群の光軸上での厚みが大きくなりすぎ、特に望遠端における非点収差の補正が困難になる。さらに、コンパクトなレンズ鏡筒や交換レンズ装置及びカメラシステムを提供することが困難になる。
【００７９】
なお、さらに以下の条件（３）’及び（３）’’の少なくとも１つを満足することにより、前記効果をさらに奏功させることができる。
０．０８＜Ｔ１Ｇ／ｆＷ  ・・・（３）’
Ｔ１Ｇ／ｆＷ＜０．２１  ・・・（３）’’
【００８０】
例えば実施の形態１〜５に係るズームレンズ系のように、基本構成Ｉを有するズームレンズ系は、以下の条件（５）を満足することが有益である。また、例えば実施の形態１〜３及び５に係るズームレンズ系のように、基本構成IIを有するズームレンズ系は、以下の条件（５）を満足することが有益である。
−２．０＜ｆ３Ｇ／ｆ２Ｇ＜−１．０  ・・・（５）
ここで、
ｆ２Ｇ：第２レンズ群の焦点距離、
ｆ３Ｇ：第３レンズ群の焦点距離
である。
【００８１】
前記条件（５）は、第２レンズ群の焦点距離と、第３レンズ群の焦点距離との関係を規定する条件である。条件（５）の下限を下回ると、第２レンズ群の焦点距離が短くなりすぎ、特に広角端における像面湾曲の補正が困難になる。逆に条件（５）の上限を上回ると、第３レンズ群の焦点距離が短くなりすぎ、ズーミングに伴う球面収差の変動の補正が困難になる。
【００８２】
なお、さらに以下の条件（５）’及び（５）’’の少なくとも１つを満足することにより、前記効果をさらに奏功させることができる。
−１．８＜ｆ３Ｇ／ｆ２Ｇ  ・・・（５）’
ｆ３Ｇ／ｆ２Ｇ＜−１．２  ・・・（５）’’
【００８３】
実施の形態１〜５に係るズームレンズ系は、像のぶれを光学的に補正するために光軸に対して垂直方向に移動する、第３レンズ群の一部であり、該第３レンズ群の最物体側に位置する像ぶれ補正レンズ群を備えている。該像ぶれ補正レンズ群により、全系の振動による像点移動を補正することができる。
【００８４】
全系の振動による像点移動を補正する際に、このように像ぶれ補正レンズ群が光軸に対して垂直方向に移動することにより、ズームレンズ系全体の大型化を抑制してコンパクトに構成しながら、偏心コマ収差や偏心非点収差が小さい優れた結像特性を維持して像ぶれの補正を行うことができる。
【００８５】
像ぶれ補正レンズ群は、第３レンズ群の最物体側に位置する１枚のレンズ素子又は隣り合った複数のレンズ素子で構成される接合レンズ素子であればよいが、１枚のレンズ素子であることが有益である。像ぶれ補正レンズ群が複数のレンズ素子で構成されていると、該像ぶれ補正レンズ群の駆動機構の構成が肥大化し、コンパクトなレンズ鏡筒や交換レンズ装置及びカメラシステムを提供することが困難になる。
【００８６】
実施の形態１〜５に係るズームレンズ系のように、第１レンズ群は、２枚以下のレンズ素子で構成されることが有益である。第１レンズ群が３枚以上のレンズ素子で構成されていると、第１レンズ群の径が肥大化し、広角端における非点収差の補正が困難になる。
【００８７】
実施の形態１〜５に係るズームレンズ系のように、撮像時の広角端から望遠端へのズーミングの際に、少なくとも１つのレンズ群が像面に対して固定されていることが有益である。ズーミングの際に全てのレンズ群が像面に対して移動すると、これら移動するレンズ群の駆動機構の構成が肥大化し、コンパクトなレンズ鏡筒や交換レンズ装置及びカメラシステムを提供することが困難になる。
【００８８】
実施の形態１〜３及び５に係るズームレンズ系（基本構成IIを有するズームレンズ系）のように、第４レンズ群は、１枚のレンズ素子で構成されることが有益である。第４レンズ群が複数のレンズ素子で構成されていると、第４レンズ群の厚みが大きくなってしまい、広角端におけるコマ収差の補正が困難になる。
【００８９】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【００９０】
（実施の形態６）
図１６は、実施の形態６に係るレンズ交換式デジタルカメラシステムの概略構成図である。
【００９１】
本実施の形態６に係るレンズ交換式デジタルカメラシステム１００は、カメラ本体１０１と、カメラ本体１０１に着脱自在に接続される交換レンズ装置２０１とを備える。
【００９２】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係るズームレンズ系２０２と、ズームレンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１６においては、ズームレンズ系２０２として実施の形態１に係るズームレンズ系を用いた場合を図示している。
【００９３】
本実施の形態６では、実施の形態１〜５いずれかに係るズームレンズ系２０２を用いているので、コンパクトで結像性能に優れた交換レンズ装置を低コストで実現することができる。また、本実施の形態６に係るカメラシステム１００全体の小型化及び低コスト化も達成することができる。なお、これら実施の形態１〜５に係るズームレンズ系は、全てのズーミング域を使用する必要はない。すなわち、所望のズーミング域に応じて、光学性能が確保されている範囲を切り出し、以下の対応する数値実施例１〜５で説明するズームレンズ系よりも低倍率のズームレンズ系として使用してもよい。
【００９４】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００９５】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2013101316.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９６】
図２、５、８、１１及び１４は、各々数値実施例１〜５に係るズームレンズ系の無限遠合焦状態の縦収差図である。
【００９７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９８】
また図３、６、９、１２及び１５は、各々数値実施例１〜５に係るズームレンズ系の望遠端における横収差図である。
【００９９】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１００】
なお、各数値実施例のズームレンズ系について、望遠端における、像ぶれ補正状態での像ぶれ補正レンズ群の光軸と垂直な方向への移動量は、以下に示すとおりである。
数値実施例１  ０．５３０ｍｍ
数値実施例２  ０．４２０ｍｍ
数値実施例３  ０．４２０ｍｍ
数値実施例４  ０．４３０ｍｍ
数値実施例５  ０．３７０ｍｍ
【０１０１】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１０２】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０３】
（数値実施例１）
数値実施例１のズームレンズ系は、図１に示した実施の形態１に対応する。数値実施例１のズームレンズ系の面データを表１に、非球面データを表２に、各種データを表３に示す。
【０１０４】
表  １（面データ）
面番号         r           d           nd         vd     
物面             ∞                                    
1         61.27940     1.00000     1.75789    32.1    
2         40.69340     8.40730     1.48749    70.4    
3       -306.72730        可変                        
4        285.57580     0.80000     1.71281    51.6    
5         26.41460     0.15000                        
6         19.33410     4.57660     1.66359    27.1    
7       -314.64810     8.30350                        
8        -28.72870     0.80000     1.84109    35.0    
9         40.67860        可変                        
10(絞り)           ∞     1.00000                        
11         34.45080     8.00000     1.54360    56.0    
12*       -50.22320     1.00000                        
13         16.40790     5.63390     1.51527    63.9    
14        183.34550     0.80000     1.92286    20.9    
15         17.26960        可変                        
16         50.05180     6.66420     1.88895    29.8    
17        -64.42020        可変                        
18        -34.81100     0.80000     1.70164    52.4    
19       -538.19780        (BF)                        
像面             ∞                                    
【０１０５】
表  ２（非球面データ）
第12面
K= 0.00000E+00, A4= 1.17607E-05, A6=-1.86330E-07, A8= 8.69894E-09 
A10=-1.31222E-10
【０１０６】
表  ３（各種データ）
ズーム比     3.13564
広角      中間      望遠
焦点距離      46.2703   81.9323  145.0869
Ｆナンバー     5.65283   5.68565   5.80316
画角        13.6611    7.5404    4.2062
像高        10.8150   10.8150   10.8150
レンズ全長    127.8176  148.4343  165.1036
ＢＦ       20.69678  20.68850  22.54673
d3           1.0372   33.2632   59.2618 
d9          23.0284   11.3434    2.0000 
d15         20.1096   18.6476   22.5409 
d17         15.0101   16.5561   10.8187 
入射瞳位置     50.3562  116.6691  197.7937
射出瞳位置    -47.1011  -44.0573  -52.9477
前側主点位置   65.0482   94.9205   64.0491
後側主点位置   81.5473   66.5020   20.0167
ズームレンズ群データ
群   始面    焦点距離  レンズ構成長    前側主点位置  後側主点位置
1      1   137.06118     9.40730         0.84168       3.97338
2      4   -31.40024    14.63010        17.94876      18.35565
3     10    51.28386    16.43390       -10.52101      -0.50657
4     16    32.57836     6.66420         1.58603       4.62286
5     18   -53.07959     0.80000        -0.03253       0.29702
【０１０７】
（数値実施例２）
数値実施例２のズームレンズ系は、図４に示した実施の形態２に対応する。数値実施例２のズームレンズ系の面データを表４に、非球面データを表５に、各種データを表６に示す。
【０１０８】
表  ４（面データ）
面番号         r           d           nd         vd     
物面             ∞                                    
1         50.10770     1.00000     1.74950    35.0    
2         35.56720     3.56920     1.48749    70.4    
3      -6005.16460        可変                        
4        173.07500     0.80000     1.72000    50.3    
5         22.00370     0.15000                        
6         17.26830     3.50780     1.64769    33.8    
7       -140.71570     7.29020                        
8        -25.44790     0.80000     1.83481    42.7    
9         39.10450        可変                        
10(絞り)           ∞     1.00000                        
11         34.32450     2.34930     1.54360    56.0    
12*       -42.96930     1.00000                        
13         15.47070     6.17580     1.51823    59.0    
14         76.35180     0.80000     1.92286    20.9    
15         15.36060        可変                        
16         51.49770     2.73170     1.90366    31.3    
17        -58.98800        可変                        
18        -37.45950     0.80000     1.80420    46.5    
19        506.98340        (BF)                        
像面             ∞                                    
【０１０９】
表  ５（非球面データ）
第12面
K= 0.00000E+00, A4= 1.18077E-05, A6= 9.50364E-09, A8= 1.27831E-09 
A10=-1.91534E-11
【０１１０】
表  ６（各種データ）
ズーム比     3.13580
広角      中間      望遠
焦点距離      46.2829   81.9616  145.1341
Ｆナンバー     4.68072   5.50123   5.80439
画角        13.4707    7.5350    4.2469
像高        10.8150   10.8150   10.8150
レンズ全長     98.7028  120.2583  148.5392
ＢＦ       16.42161  25.14177  31.16653
d3           1.0000   22.6402   51.0000 
d9          16.9101    8.1041    2.0000 
d15         14.3639   15.4828   21.6576 
d17         18.0332   16.9154   10.7411 
入射瞳位置     37.0527   69.9993  145.3536
射出瞳位置    -45.2326  -55.2210  -70.0652
前側主点位置   36.1385   30.4620  -10.1867
後側主点位置   52.4199   38.2967    3.4051
ズームレンズ群データ
群   始面    焦点距離  レンズ構成長    前側主点位置  後側主点位置
1      1   129.31381     4.56920        -0.51321       1.08863
2      4   -29.09088    12.54800        15.30553      15.73719
3     10    43.55664    11.32510       -10.12765      -2.72406
4     16    30.78708     2.73170         0.67679       1.95647
5     18   -43.34661     0.80000         0.03049       0.38737
【０１１１】
（数値実施例３）
数値実施例３のズームレンズ系は、図７に示した実施の形態３に対応する。数値実施例３のズームレンズ系の面データを表７に、非球面データを表８に、各種データを表９に示す。
【０１１２】
表  ７（面データ）
面番号         r           d           nd         vd     
物面             ∞                                    
1         52.71520     1.00000     1.74950    35.0    
2         37.32200     3.85030     1.48749    70.4    
3      -5452.64230        可変                        
4        167.78640     0.80000     1.72000    50.3    
5         23.56360     0.15000                        
6         17.86810     4.29100     1.64769    33.8    
7       -187.93060     8.04330                        
8        -24.79330     0.80000     1.83481    42.7    
9         40.64550        可変                        
10(絞り)           ∞     1.00000                        
11         34.77280     4.33200     1.54360    56.0    
12*       -43.92450     1.00000                        
13         16.16060     5.24700     1.51823    59.0    
14         82.99030     0.80000     1.92286    20.9    
15         16.57710        可変                        
16         52.00520     9.72630     1.90366    31.3    
17        -59.44140        可変                        
18        -36.34900     0.80000     1.80420    46.5    
19        897.21280        (BF)                        
像面             ∞                                    
【０１１３】
表  ８（非球面データ）
第12面
K= 0.00000E+00, A4= 1.20203E-05, A6=-5.69152E-08, A8= 2.76958E-09 
A10=-3.13041E-11
【０１１４】
表  ９（各種データ）
ズーム比     3.13571
広角      中間      望遠
焦点距離      46.2784   81.9509  145.1159
Ｆナンバー     4.60415   5.47001   5.80468
画角        13.5010    7.5421    4.2503
像高        10.8150   10.8150   10.8150
レンズ全長     92.2530  103.5680  126.7700
ＢＦ        15.7837   25.1939   31.5158 
d3           1.0000   21.7256   51.2498 
d9          17.7350    8.3229    2.0000 
d15         14.0268   14.9164   20.4554 
d17         17.6510   16.7633   11.2252 
入射瞳位置     41.0099   71.2600  146.5295
射出瞳位置    -46.7467  -57.1125  -70.9821
前側主点位置   41.5582   35.7032   -5.2081
後側主点位置   61.8446   46.8519   13.1276
ズームレンズ群データ
群   始面    焦点距離  レンズ構成長    前側主点位置  後側主点位置
1      1   136.20835     4.85030        -0.50796       1.18557
2      4   -29.69711    14.08430        17.64231      17.82483
3     10    46.44281    12.37900        -8.42427      -1.29740
4     16    32.02139     9.72630         2.48722       6.88343
5     18   -43.42253     0.80000         0.01726       0.37402
【０１１５】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１１６】
表  １０（面データ）
面番号         r           d           nd         vd     
物面             ∞                                    
1         47.51780     4.95330     1.48749    70.4    
2       -105.85580     1.00000     1.74950    35.0    
3       -537.17660        可変                        
4        -55.44130     0.80000     1.83481    42.7    
5         52.20110     0.15000                        
6         23.20160     2.29870     1.84666    23.8    
7        -55.02810     1.71620                        
8        -42.03460     0.80000     1.90366    31.3    
9         25.39230        可変                        
10(絞り)           ∞     1.00000                        
11         31.98410     2.61120     1.54360    56.0    
12*       -48.34570     1.00000                        
13         23.84160     2.32120     1.48749    70.4    
14        -83.26550     0.80000     1.92286    20.9    
15         63.42040        可変                        
16         30.41840     0.50000     1.92286    20.9    
17         19.72920        可変                        
18         39.19300     2.97820     1.90366    31.3    
19        -54.00310        可変                        
20        -41.37490     0.80000     1.48749    70.4    
21         21.76680        (BF)                        
像面             ∞                                    
【０１１７】
表  １１（非球面データ）
第12面
K= 0.00000E+00, A4= 1.08514E-05, A6=-1.50203E-08, A8= 5.03917E-10 
A10=-4.55682E-12
【０１１８】
表  １２（各種データ）
ズーム比     3.13596
広角      中間      望遠
焦点距離      46.2695   81.9328  145.0994
Ｆナンバー     4.16144   4.65570   5.80338
画角        13.3167    7.5087    4.1880
像高        10.8150   10.8150   10.8150
レンズ全長     69.6241   84.0368  103.6938
ＢＦ        22.0089   32.4982   32.8545 
d3           6.4615   31.4306   51.4616 
d9          15.8624    9.4107    2.0000 
d15          6.1455    0.6000    6.9691 
d17          5.3816    9.3740   14.5348 
d19         11.9599    9.4755    5.0000 
入射瞳位置     33.1193   83.1992  142.4779
射出瞳位置    -41.2642  -51.2909  -62.2687
前側主点位置   27.6129   34.2951  -50.5381
後側主点位置   45.3635   34.6021   -8.5511
ズームレンズ群データ
群   始面    焦点距離  レンズ構成長    前側主点位置  後側主点位置
1      1   108.57993     5.95330        -0.30315       1.75559
2      4   -29.37657     5.76490         5.00701       6.71836
3     10    33.04577     7.73240         0.55295       2.83906
4     16   -62.23372     0.50000         0.75696       0.99096
5     18    25.51901     2.97820         0.66806       2.05770
6     20   -29.13737     0.80000         0.35096       0.61536
【０１１９】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１２０】
表  １３（面データ）
面番号         r           d           nd         vd     
物面             ∞                                    
1         54.95600     1.00000     1.71736    29.5    
2         38.53860     3.69520     1.48749    70.4    
3      -1004.07190        可変                        
4        201.06910     0.80000     1.69680    55.5    
5         21.89400     0.15000                        
6         17.67150     3.32400     1.67270    32.2    
7       2396.10290     9.66230                        
8        -25.22900     0.80000     1.83481    42.7    
9         44.02730        可変                        
10(絞り)           ∞     1.00000                        
11         28.04510     2.58250     1.51845    70.0    
12*       -37.26800     1.00000                        
13         14.41890     4.85360     1.51680    64.2    
14         65.78910     0.80000     1.84666    23.8    
15         14.01740        可変                        
16         50.72160     2.59670     1.90366    31.3    
17        -63.39020        可変                        
18        -40.42620     0.80000     1.80420    46.5    
19        155.08050        (BF)                        
像面             ∞                                    
【０１２１】
表  １４（非球面データ）
第12面
K= 0.00000E+00, A4= 1.60994E-05, A6= 2.40007E-07, A8=-6.26914E-09 
A10= 6.71437E-11
【０１２２】
表  １５（各種データ）
ズーム比     3.13598
広角      中間      望遠
焦点距離      46.2885   81.9728  145.1597
Ｆナンバー     4.64482   5.43438   5.80626
画角        13.5435    7.5330    4.2330
像高        10.8150   10.8150   10.8150
レンズ全長     81.7329   95.7774  118.4980
ＢＦ        17.1082   25.0682   30.2648
d3           1.0000   23.1158   51.0000 
d9          15.1939    7.1788    2.0000 
d15         16.8807   17.2024   22.2798 
d17         15.4478   15.1256   10.0469 
入射瞳位置     38.8175   74.1738  153.3546
射出瞳位置    -45.9533  -54.2981  -65.6927
前側主点位置   38.6278   32.5998  -21.7206
後側主点位置   52.4065   38.7823    3.4960
ズームレンズ群データ
群   始面    焦点距離  レンズ構成長    前側主点位置  後側主点位置
1      1   131.45397     4.69520        -0.26030       1.36639
2      4   -27.07782    14.73630        17.25990      17.46816
3     10    36.92989    10.23610        -6.64500      -0.95574
4     16    31.52079     2.59670         0.61293       1.83068
5     18   -39.80184     0.80000         0.09152       0.44892
【０１２３】
以下の表１６に、各数値実施例のズームレンズ系における各条件の対応値を示す。
【０１２４】
表  １６（条件の対応値）
【表１】
2013101316.tif 000004
【０１２５】
以上のように、本開示における技術の例示として、実施の形態を説明した。そのために、添付図面および詳細な説明を提供した。
【０１２６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２８】
本開示は、デジタルスチルカメラ、デジタルビデオカメラ、スマートフォン等の携帯情報端末のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【０１２９】
また本開示は、本開示における交換レンズ装置の中でも、デジタルビデオカメラシステムに備えられる、ズームレンズ系をモータにより駆動する電動ズーム機能を搭載した交換レンズ装置に適用可能である。
【符号の説明】
【０１３０】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
2013101316.tif 000005
【図２】
2013101316.tif 000006
【図３】
2013101316.tif 000007
【図４】
2013101316.tif 000008
【図５】
2013101316.tif 000009
【図６】
2013101316.tif 000010
【図７】
2013101316.tif 000011
【図８】
2013101316.tif 000012
【図９】
2013101316.tif 000013
【図１０】
2013101316.tif 000014
【図１１】
2013101316.tif 000015
【図１２】
2013101316.tif 000016
【図１３】
2013101316.tif 000017
【図１４】
2013101316.tif 000018
【図１５】
2013101316.tif 000019
【図１６】
2013101316.tif 000020